(57)【要約】      （修正有）【課題】シャツ等上衣がスーツズボンやスカート等下衣からずり上がるのを防止する用具を提供すること。【解決手段】スーツズボンやスカート等の下衣のウエスト部の縁に脱着可能なクリップ形状をした、自体がゴムやシリコーン等による滑り止め機能を有するスカート等の下衣のウエスト部の縁に脱着可能なクリップ形状をした、自体がゴムやシリコーン等の滑り止め機能を有する、シャツ等上衣のスーツズボンやスカート等下衣からのずり上がり防止用具。【選択図】図１
2018104873.tif 000002
【特許請求の範囲】
【請求項１】
ほぼ平らな形状に成形された本体と、該本体をスーツのズボン、スカート等のウエスト部分に脱着が容易に行える挟み込み式の取り付け手段と、滑り止めを有している事を特徴とするシャツ等上衣のスーツズボンやスカート等下衣からのずり上がり防止用具。
【請求項２】
前記取り付け手段は、スーツズボンやスカート等下衣のウエスト部分に挟み込める形状の該本体と、スーツズボンやスカート等下衣のウエスト部分に挟み込んだ該本体を、該本体の外側部でスーツズボンやスカート等下衣のウエスト部分に固定することができるように該外側部がスーツズボンやスカート等下衣のウエスト部分の側面部に圧縮する様な方向で可動し、該外側部の内側と該本体の内側部が向かい合う弾力素材により固定され、例えばゴムや樹脂等により摩擦力を大きくした該本体の内側部によって、スーツズボンやスカート等下衣にしまい込んだシャツ等の上衣をその摩擦力でスーツズボンやスカート等下衣のウエスト部分からのは見出しを防止することを特徴とするシャツ等上衣のスーツズボンやスカート等下衣からのずり上がり防止用具。
【発明の詳細な説明】
【技術分野】
【０００１】  本発明は、例えばワイシャツ、ブラウス等の上衣を例えばスーツズボンやスカート等の下衣の内側に収める場合に、そのウエスト部が身体の動き、あるいは身体が椅子などの接触物よる摩擦によって下衣からずり上がる事によってはみ出してしまう事を防止する為に、ズボンや、スカート等の、下衣のウエスト部に容易な脱着の使用が可能なシャツ等上衣のスーツズボンやスカート等下衣からのずり上がり防止用具に関するものである。
【背景技術】
【０００２】  従来の上衣のはみ出しを防止する用具は、シート式でアイロン等で熱着する事でズボンに固定して使用するものがあるが、高温で定着させる必要がある為、使用可能な下衣の素材が限定される欠点がある。その他、クリップ式やベルト式、シャツのウエスト部に滑り止めを施した物の提案も数多くなされているが、それら全てにおいて、都度、通常の着替え時に行う動作に追加作業が発生する事で本来の着衣動作が煩わしくなるという欠点があり、現実的に日常で使用するには難易度の高い事が現状となっている。
【先行技術文献】
【特許文献】
【０００３】  以下に先行技術文献情報を開示する。
【特許文献１】実用新案登録第３０１５４０１号公報
【特許文献２】実用新案登録第３０２２５５０号公報
【特許文献３】実用新案登録第３０３３３４０号公報
【特許文献４】特開平１０−１３０９０１号公報
【特許文献５】特開平１０−２５９５１７号公報
【特許文献６】実用新案登録第３０５７３５８号公報
【特許文献７】実用新案登録第３０５７８８０号公報
【特許文献８】実用新案登録第３０５７９８１号公報
【特許文献９】実用新案登録第３０８５５７４号公報
【特許文献１０】特開２００４−０１９０４３号公報
【特許文献１１】特開２００５−２９９０５７号公報
【特許文献１２】特開２００６−０２２４５６号公報
【特許文献１３】特開２００６−２４１６４７号公報
【特許文献１４】特開２００８−１１５４８４号公報
【発明の概要】
【発明が解決しようとする課題】
【０００４】  本発明は、例えばワイシャツやブラウス等の上衣を、例えばスーツズボンやスカート等の下衣のウエスト部の内側に収めておいた際、下衣に入れ込んでいる上衣がずり上がり下衣のウエスト部からはみ出すのを防止する為の上衣の下衣からのずり上がり防止用具であり、上衣および下衣に都度、取り付けを必要とせず、上衣および下衣に縫い付け等の穴や傷をつけることなく、例えばスーツズボンやスカート等の下衣に対して取り付けと取り外しが容易に可能であり、上衣のスーツズボンやスカート等下衣からのずり上がり防止効果を有し、見た目も不自然さを感じさせない、実用性に優れた、シャツ等上衣のスーツズボンやスカート等下衣からのずり上がり防止用具を提供することを課題としたものである。
【課題を解決するための手段】
【０００５】  本願の請求項１に係る発明は、スーツズボンやスカート等の下衣のウエスト部の縁に脱着可能なクリップ形状をした、自体がゴムやシリコーン等による滑り止め機能を有する本体を特徴とするシャツ等上衣のスーツズボンやスカート等下衣からのずり上がり防止用具である。【０００６】  本願の請求項２に係る発明は、前記取り付け手段は、スーツズボンやスカート等下衣のウエスト部分に挟み込める形状の該本体と、スーツズボンやスカート等下衣のウエスト部分に挟み込んだ該本体を、該本体の外側部でスーツズボンやスカート等下衣のウエスト部分に固定することができるように該外側部がスーツズボンやスカート等下衣のウエスト部分の側面部に圧縮する様な方向で可動し、該外側部の内側と該本体の内側部が向かい合う弾力素材により固定され、例えばゴムや樹脂等により摩擦力を大きくした該本体の内側部によって、スーツズボンやスカート等下衣にしまい込んだシャツ等の上衣をその摩擦力でスーツズボンやスカート等下衣のウエスト部分からのは見出しを防止することを特徴とする請求項１に記載のシャツ等上衣のスーツズボンやスカート等下衣からのずり上がり防止用具である。
【発明の効果】
【０００７】  本発明のシャツ等上衣のスーツズボンやスカート等下衣からのずり上がり防止用具は、ほぼ平なクリップ形状に形成された本体により、スーツズボンやスカート等下衣のウエスト部の縁に取り付けと取り外しが可能な脱着機能を有しているので、この取り付け手段によってスーツズボンやスカート等下衣のウエスト部の縁に取り付けることで、例えばワイシャツやブラウス等の下衣の内側に収めるような上衣が、身体の動き、あるいは身体が椅子などの接触物よる摩擦によって下衣からはみ出してしまう事を防止し、その装着も目立ちにくく、実用性に極めて優れたシャツ等上衣のスーツズボンやスカート等下衣からのずり上がり防止用具を提供することができる。
【発明を実施するための最良の形態】
【０００８】  本発明のシャツ等上衣のスーツズボンやスカート等下衣からのずり上がり防止用具について図面を参照して説明する。【０００９】  図１は本発明のシャツ等上衣のスーツズボンやスカート等下衣からのずり上がり防止用具の外観示した説明図であり、図２は本シャツ等上衣のスーツズボンやスカート等下衣からのずり上がり防止用具の内側から見た図であり、図３は本シャツ上衣のスーツズボンやスカート等下衣からのずり上がり防止用具を外側から見た図であり、図４は本シャツ等の上衣のスーツズボンやスカート等下衣からのずり上がり防止用具の縦断面図である。【００１０】  図１〜図４に示すように、本発明のシャツ等上衣のスーツズボンやスカート等下衣からのずり上がり防止用具は、スーツズボンやスカート等のウエスト部分に固定するクリップ部１とシャツ等上衣が滑らないようにするストッパー部２を備える。
【図面の簡単な説明】
【００１１】
【図１】本発明のシャツ等上衣のスーツズボンやスカート等下衣からのずり上がり防止用具の装着時の外観図。
【図２】本発明のシャツ等上衣のスーツズボンやスカート等下衣からのずり上がり防止用具の正面図。
【図３】本発明のシャツ等上衣のスーツズボンやスカート等下衣からのずり上がり防止用具の背面図。
【図４】本発明のシャツ等上衣のスーツズボンやスカート等下衣からのずり上がり防止用具の縦断面図。
【符号の説明】
【００１２】１．留め具可動部
２．留め具の引き上げ部
３．留め具のツメ部
４．滑り止め部
５．ウエスト部の挟み込み固定部
【図１】
2018104873.tif 000003
【図２】
2018104873.tif 000004
【図３】
2018104873.tif 000005
【図４】
2018104873.tif 000006